(57)【要約】【課題】ジェットバス機能に加えて、洗濯機への給水、浴室洗浄が可能で、しかも、これらの機能が相互に切り換え可能なユニットバスを提供する。【解決手段】ユニットバス１においては、浴槽本体３ａに形成した吸込み口７及び吐水口８と、これらをつなぎ、管路９ａ、９ｂ、９ｃよりなる循環管路９と、これに、三方弁１０で切り換え可能に介装している分岐管路１１と、循環管路９に浴水を循環せしめるポンプ１２と、管路１１ａ、１１ｂよりなる前記分岐管路１１に連結した洗濯機給水口１３とを備える一方、分岐管路１１に三方弁１４で切り換え可能な分岐管路１５を介装し、この分岐管路１５に、浴室洗浄用ホース接続口１６を設けたので、ジェットバス用ポンプ１２を用いて浴水を強力に噴出でき、浴室の清掃が容易となり、且つ、洗濯機１８への給水機能と浴室洗浄機能を、相互に切り換え可能に併有できることとなる。【選択図】        図１
2004180714.tif 000002
【特許請求の範囲】
【請求項１】
洗い場と、浴槽本体の前記洗い場側の外側にエプロンを具備する浴槽と、浴室カウンタとを備え、ジェットバスシステムを内蔵するユニットバスであって、前記ジェットバスシステムが、前記浴槽本体に形成した吸込み口及び吐水口と、前記吸込み口と前記吐水口とをつなぐ循環管路と、前記循環管路に、第一の三方弁で切り換え可能に介装している第一の分岐管路と、前記循環管路に浴水を循環せしめるポンプと、前記第一の分岐管路に連結した洗濯機給水口とを備える一方、前記第一の分岐管路に第二の三方弁で切り換え可能な第二の分岐管路を介装し、この第二の分岐管路に、浴室洗浄用ホース接続口を設けたジェットバスシステムであることを特徴とするユニットバス。
【請求項２】
前記ポンプを前記浴槽本体と前記エプロンとで形成された内部空間内の前記エプロン近傍に配設することを特徴とする請求項１記載のユニットバス。
【請求項３】
前記第一の分岐管路が、前記浴室カウンタ内部を経由して前記洗濯機への給水口へつながることを特徴とする請求項１または請求項２記載のユニットバス。
【請求項４】
前記浴室洗浄用ホース接続口を前記浴室カウンタ上に設けることを特徴とする請求項１乃至請求項３のいずれかに記載のユニットバス。
【発明の詳細な説明】
【０００１】
【発明の属する技術分野】
本発明は、洗濯機に給水可能なユニットバスに関するものである。
【０００２】
【従来の技術】
従来より、ジェットバスシステムの循環水路やジェットバス用ポンプを残り湯利用等の目的のために活用する試みとしては、種々提案がなされており、例えば、特許第２７９２９６１号明細書には、ジェットバス用ポンプを利用して残り湯となった浴水を洗濯機に給水するシステムが開示されている。また、特開平１１−３４７０８７号公報には、ジェットバス用ポンプを利用して浴水をシャワーとして噴出し得るジェットバスシステムが開示されている。しかし、これらのものは、それぞれ洗濯機への給水のみ、浴水のシャワーとしての利用のみを単独になし得るのみで、これら複数の機能を切り換え自在になし得るものは、知られておらず、また、完成したユニットバスにコンパクトに標準装備する取り組み等については、未だ、満足な提案がなされていない。
【０００３】
【特許文献１】
特許第２７９２９６１号明細書  （第１頁  ［特許請求の範囲］、第２頁  左側欄３９行目〜第３頁  右側欄１７行目、、第３頁  第１図）
【特許文献２】特開平１１−３４７０８７号公報  （第２頁  ［特許請求の範囲］、第２頁  段落［０００５］〜第３頁  段落［００１３］、第３頁  図１）
【０００４】
【発明が解決しようとする課題】
本発明は、上記事由に鑑みてなされたもので、その目的とするところは、ジェットバスシステムを内蔵するユニットバスであって、ジェットバスの機能に加えて、洗濯機への給水のみならず、浴室洗浄も可能で、しかもこれらが、相互に切り換え可能に構成されたユニットバスを提供することにある。
【０００５】
【課題を解決するための手段】
上記課題を解決するために、請求項１に係るユニットバスの発明にあっては、洗い場と、浴槽本体の前記洗い場側の外側にエプロンを具備する浴槽と、浴室カウンタとを備え、ジェットバスシステムを内蔵するユニットバスであって、前記ジェットバスシステムが、前記浴槽本体に形成した吸込み口及び吐水口と、前記吸込み口と前記吐水口とをつなぐ循環管路と、前記循環管路に、第一の三方弁で切り換え可能に介装している第一の分岐管路と、前記循環管路に浴水を循環せしめるポンプと、前記第一の分岐管路に連結した洗濯機給水口とを備える一方、前記第一の分岐管路に第二の三方弁で切り換え可能な第二の分岐管路を介装し、この第二の分岐管路に、浴室洗浄用ホース接続口を設けたジェットバスシステムであることを特徴とするものである。
【０００６】
請求項２に係るユニットバスの発明にあっては、請求項１記載のユニットバスにおいて、前記ポンプを前記浴槽本体と前記エプロンとで形成された内部空間内の前記エプロン近傍に配設することを特徴とするものである。
【０００７】
請求項３に係るユニットバスの発明にあっては、請求項１または請求項２記載のユニットバスにおいて、前記第一の分岐管路が、前記浴室カウンタ内部を経由して前記洗濯機への給水口へつながることを特徴とするものである。
【０００８】
請求項４に係るユニットバスの発明にあっては、請求項１乃至請求項３のいずれかに記載のユニットバスにおいて、前記浴室洗浄用ホース接続口を前記浴室カウンタ上に設けることを特徴とするものである。
【０００９】
【発明の実施の形態】
以下、本発明の実施形態を図面に基づき説明する。ここで、図１は、本発明のユニットバスの第１の実施形態を示す図である。即ち、本実施形態のユニットバス１では、図１に示すように、洗い場２と、浴槽本体３ａの前記洗い場２の側の外側にエプロン４を具備する浴槽３と、浴室カウンタ５とを備え、ジェットバスシステム６を内蔵し、このジェットバスシステム６が、浴槽本体３ａに形成した吸込み口７及び吐水口８と、この吸込み口７と吐水口８とをつなぐ管路９ａ、９ｂ、９ｃよりなる循環管路９と、この循環管路９に、第一の三方弁１０で切り換え可能に介装している第一の分岐管路１１と、前記循環管路９に浴水を循環せしめるジェットバス用ポンプであるポンプ１２と、前記第一の分岐管路１１に連結した洗濯機給水口１３とを備える一方、前記第一の分岐管路１１に第二の三方弁１４で切り換え可能な第二の分岐管路１５を介装し、この第二の分岐管路１５に、浴室洗浄用ホース接続口１６を有するものである。
【００１０】
この場合において、第一の分岐管路１１は、管路１１ａ、１１ｂよりなり、浴室カウンタ５の内部を経由して洗濯機給水口１３につながっている。また、前記浴室洗浄用ホース接続口１６についても、浴室カウンタ５の上に設けてある。一方、本実施形態においては、ポンプ１２を浴槽本体３ａとエプロン４とで形成された内部空間１７内の前記エプロン４の近傍に配設している。
【００１１】
以上のような構成を有する本実施形態のユニットバスは、例えば、以下のように運転される。すなわち、洗濯機１８に給水を行なうときは、第一の三方弁１０は、管路９ａを閉じ、第二の三方弁１４は、第二の分岐管路１５を閉じる。この場合、吸込み口７からポンプ１２に入った浴水は、管路１１ａ、１１ｂ及びホース２７、洗濯機給水口１３を経由して、洗濯機１８に供給される。
【００１２】
一方、浴室洗浄を行なうときには、第一の三方弁１０は、管路９ａを閉じ、第二の三方弁１４は、管路１１ｂを閉じる。この場合、吸込み口７からポンプ１２に入った浴水は、管路１１ａ、第二の分岐管路１５を経て浴室洗浄用ホース接続口１６から噴出可能となる。さらに、ジェットバスを用いるときは、第一の三方弁１０は、管路１１ａを閉じる。この場合、吸込み口７からポンプ１２に入った浴水は、管路９ａ、９ｂ、９ｃを経由して、吐水口８から噴出され、浴水は、循環管路９を循環することとなる。このような上記三方弁１０、１４の切り換え操作等による各種運転モードの選択は、例えば、リモコン装置２９等によりスイッチで変更できる。
【００１３】
このように、本実施形態においては、ジェットバスシステム６の循環管路９に、第一の三方弁１０で切り換え可能に介装している第一の分岐管路１１と、循環管路９に浴水を循環せしめるポンプ１２と、前記第一の分岐管路１１に連結した洗濯機給水口１３とを備える一方、第一の分岐管路１１に第二の三方弁１４で切り換え可能な第二の分岐管路１５を介装し、この第二の分岐管路１５に、浴室洗浄用ホース接続口１６を有するので、ジェットバス用ポンプ１２を用いて、浴室洗浄用ホース接続口１６から、浴水を強力に噴出することが可能となり、浴室の清掃が容易にできることに加えて、洗濯機１８への給水機能と浴室１９の洗浄機能を、相互に切り換え可能に併有し得ることとなる。
【００１４】
一方、本実施形態においては、ポンプ１２を浴槽本体３ａとエプロン４とで形成された内部空間１７内の前記エプロン４近傍に配設するので、ポンプ１２のメンテナンス等が、エプロン４の着脱のみで容易にできることとなる。
【００１５】
さらに、本実施形態においては、第一の分岐管路１１が、浴室カウンタ５の内部を経由して洗濯機１８への給水口１３へつながる構成としているので、分岐管路１１、分岐管路１５のメンテナンス等が、浴室カウンタ５の前面部の開閉のみで容易にできる一方、分岐管路１１、分岐管路１５をコンパクト且つ効率的に浴室カウンタ５の内部に収納することが可能となり、ユニットバス１の美観の確保に寄与し得ることとなる。
【００１６】
また、本実施形態においては、浴室洗浄用ホース接続口１６を浴室カウンタ５の上に設けること構成としているので、浴室１９の清掃作業に要する肉体的負担が小さく、楽にできることとなる。但し、上記浴室洗浄用ホース接続口１６の取り付け部位は、浴室カウンタ５の上にのみ限定されるものではなく、例えば、浴槽３のフランジ面２０の上に設けること等も当然に可能である。
【００１７】
一方、図２は、本実施形態の壁面貫通構造Ａを示すもので、（ａ）は浴室側から見たホース２７を挿入する前の正面図、（ｂ）  はホース貫通シール部材２６を取りつけたホース２７を、浴室側から浴室側ブッシュ２４に挿入した後の壁面の断面を示す図、（ｃ）  はホース貫通シール部材２６を取りつけたホース２７を、浴室側から浴室側ブッシュ２４に挿入し、固定した後の壁面の断面を示す図である。すなわち、図２（ｂ）は、浴室壁２１と洗面室壁である間仕切り壁２２を貫通する穴２３に浴室側ブッシュ２４を浴室側から、洗面室側ブッシュ２５を洗面室側からそれぞれねじ込みながらスペース調整を行なった後、予め、ホース貫通シール部材２６を取りつけたホース２７を、浴室側から浴室側ブッシュ２４に挿入し、洗面室側に引き出した様子を示している。なお、ホース２７は、上記管路１１ｂに連結、延設したものである。
【００１８】
なお、ホース貫通シール部材２６には、Ｏリング２８を取りつけており、このＯリング２８は、ホース貫通シール部材２６に取りつけた状態で、浴室側ブッシュ２４に嵌合するようにその外径が、調節されている。したがって、ホース貫通シール部材２６に取りつけたこのＯリング２８を浴室側ブッシュ２４に嵌合させた状態で固定して、この壁面貫通構造は完成する（図２（ｃ））。すなわち、かかる壁面貫通構造によれば、湿気を含んだ空気の浴室側から、洗面室側への侵入を効果的に防止することができるというものである。
【００１９】
一方、洗濯機１８に給水を行なっていない場合は、例えば、ホース貫通シール部材２６と同一形状でＯリング２８をホース貫通シール部材２６と同様に取りつけた貫通孔のないシール部材（図示せず）等によりシールすることにより、上記ホース貫通シール部材２６による場合と同様に、湿気を含んだ空気の浴室側から、洗面室側への侵入を効果的に防止することができることとなる。なお、本発明のユニットバスは、上記の実施形態にのみ限定されるものではなく、種々変更を加え得ることは勿論である。
【００２０】
【発明の効果】
以上のように、請求項１に係るユニットバスの発明にあっては、洗い場と、浴槽本体の前記洗い場側の外側にエプロンを具備する浴槽と、浴室カウンタとを備え、ジェットバスシステムを内蔵するユニットバスであって、前記ジェットバスシステムが、前記浴槽本体に形成した吸込み口及び吐水口と、前記吸込み口と前記吐水口とをつなぐ循環管路と、前記循環管路に、第一の三方弁で切り換え可能に介装している第一の分岐管路と、前記循環管路に浴水を循環せしめるポンプと、前記第一の分岐管路に連結した洗濯機給水口とを備える一方、前記第一の分岐管路に第二の三方弁で切り換え可能な第二の分岐管路を介装し、この第二の分岐管路に、浴室洗浄用ホース接続口を設けたジェットバスシステムであることを特徴とするので、ジェットバス用ポンプを用いて浴水を強力に噴出することが可能となり、浴室の清掃が容易にできることに加えて、洗濯機への給水機能と浴室の洗浄機能を、相互に切り換え可能に併有し得るという優れた効果を奏する。
【００２１】
請求項２に係るユニットバスの発明にあっては、請求項１記載のユニットバスにおいて、前記ポンプを前記浴槽本体と前記エプロンとで形成された内部空間内の前記エプロン近傍に配設することを特徴とするので、請求項１記載の発明の効果に加えて、ポンプのメンテナンス等が、エプロンの着脱のみで容易にできるという優れた効果を奏する。
【００２２】
請求項３に係るユニットバスの発明にあっては、請求項１または請求項２記載のユニットバスにおいて、前記第一の分岐管路が、前記浴室カウンタ内部を経由して前記洗濯機への給水口へつながることを特徴とするので、請求項１または請求項２記載の発明の効果に加えて、前記分岐管路のメンテナンス等が、浴室カウンタ前面部の開閉のみで容易にできる一方、前記分岐管路をコンパクト且つ効率的に収納することが可能となり、ユニットバスの美観の確保に寄与し得るという優れた効果を奏する。
【００２３】
請求項４に係るユニットバスの発明にあっては、請求項１乃至請求項３のいずれかに記載のユニットバスにおいて、前記浴室洗浄用ホース接続口を前記浴室カウンタ上に設けることを特徴とするので、請求項１乃至請求項３のいずれかに記載の発明の効果に加えて、浴室の清掃作業が楽にできるという優れた効果を奏する。
【図面の簡単な説明】
【図１】本発明のユニットバスの第１の実施形態を示す図である。
【図２】本実施形態の壁面貫通構造Ａを示すもので、（ａ）は浴室側から見たホース２７を挿入する前の正面図、（ｂ）  はホース貫通シール部材２６を取りつけたホース２７を、浴室側から浴室側ブッシュ２４に挿入した後の壁面の断面を示す図、（ｃ）  はホース貫通シール部材２６を取りつけたホース２７を、浴室側から浴室側ブッシュ２４に挿入し、固定した後の壁面の断面を示す図である。
【符号の説明】
１      ユニットバス
２      洗い場
３      浴槽
３ａ    浴槽本体
４      エプロン（浴槽３）
５      浴室カウンタ
６      ジェットバスシステム
７      吸込み口（浴槽３）
８      吐水口（浴槽３）
９      循環管路
９ａ    管路（循環管路９）
９ｂ    管路（循環管路９）
９ｃ    管路（循環管路９）
１０      第一の三方弁
１１      第一の分岐管路
１１ａ    管路（第一の分岐管路１１）
１１ｂ    管路（第一の分岐管路１１）
１２      ポンプ
１３      洗濯機給水口
１４      第二の三方弁
１５      第二の分岐管路
１６      浴室洗浄用ホース接続口
１７      内部空間（浴槽本体３ａ）
１８      洗濯機
１９      浴室
２０      フランジ面（浴槽３）
２１      浴室壁
２２      間仕切り壁（洗面室壁）
２３      穴
２４      浴室側ブッシュ
２５      洗面室側ブッシュ
２６      ホース貫通シール部材
２７      ホース（管路１１ｂ）
２８      Ｏリング（ホース貫通シール部材２６）
２９      リモコン装置
Ａ      壁面貫通構造
【図１】
2004180714.tif 000003
【図２】
2004180714.tif 000004